(57)【要約】【課題】  紙文書を電子化する際に、パソコンを使用せず高度な編集を行うことができる画像処理装置を提供する。【解決手段】  ５５は画像処理前の画像である。５６は画像を編集する領域を選択した状態である。破線で囲まれた領域５６ａが色を変更しようとする領域である。タッチパネルディスプレイ上でユーザが手またはペンで領域を選択することができる。選択領域は５６ａのように矩形でもよいし円形でもよい。５７は領域選択後に選択領域５７ａの色が変更された状態である。実施形態では変更色は元画像の上に重ねて作成され、元画像の文字が透けて見えるように半透明に着色されている。編集処理の作業効率を向上させることができる。【選択図】  図４
2007006084.tif 000002
【特許請求の範囲】
【請求項１】
媒体から画像を読み取る画像読み取り手段と、
前記読み取り手段により読み取った画像を、文字部と背景部に分離する手段と、
前記文字部と背景部を合成した画像を表示するタッチパネル表示手段と、
前記表示手段に表示された表示画像の一部又は全部の色を選択する選択手段と、
前記選択手段により選択された領域の色を変更する手段と、を有することを特徴とする画像処理装置。
【請求項２】
前記選択手段により選択された領域は、前記文字部、背景部に加えて新たに作成する第３の画像部に色情報として反映し、前記第３の画像部と前記文字部を比較することで、文字部分のみの色を変更する文字色変更手段を有することを特徴とする請求項１記載の画像処理装置。
【請求項３】
前記文字色変更手段は、その適用範囲を前記選択領域の全てとすることを特徴とする請求項１又は２記載の画像処理装置。
【請求項４】
前記文字色変更手段は、変更する色を複数から選択可能であることを特徴とする請求項１から３のいずれか１項に記載の画像処理装置。
【発明の詳細な説明】
【技術分野】
【０００１】
本発明は、画像処理装置に関し、特に画像処理装置に内蔵されたタッチディスプレイ上で編集機能を有する画像処理装置に関する。
【背景技術】
【０００２】
近年、電子文書のニーズが高まっている。電子文書はストレージデバイスなどの記憶装置に格納することが可能な上、電子媒介を通して送受信が可能であることから情報の伝達と共有に関する効率を大きく向上することができる。反面、電子文書の作成、閲覧、編集にはパソコンをはじめとした電子機器の使用が不可欠であり、かつ情報の伝達にはＬＡＮや可換記憶媒体を介しての通信が必要となるため、小規模な文書の作成、校正に関しては紙文書に効率の面で劣る場合がある。
【０００３】
例えば、既に存在する紙画像に対して添削、校正を目的としたマーキングや追記を行った後に電子上で配信を行う場合、スキャン機器でのスキャン→パソコンへの転送→記憶装置への保存→修正→転送、のような煩雑な手順をとる必要がある。こうした作業工数の軽減のためにスキャン画像をネットワーク上のパソコンの記憶装置に自動で送信したり、ｅ−ｍａｉｌで送信したりする機器が考案されている。さらには赤文字で追記した校正画像を元画像と分離して記憶、配信することで配信容量を軽減する手段が提案されている（特許文献１）。
【特許文献１】特開２００３―１４３３９４号公報
【発明の開示】
【発明が解決しようとする課題】
【０００４】
しかしながら、画像処理装置上でスキャンした後に、配信前の画像に対してさらに添削、校正した上で配信することができず、このような場合は、新たに添削等した紙画像を再びスキャンしなければならないという問題があった。
【０００５】
本発明はこのような状況に鑑みてなされたものであり、紙文書を電子化する際にパソコンを使用せず、高度な編集を行うことができる画像処理装置を提供することを目的としている。すなわち、画像処理装置上のタッチパネルディスプレイ部をユーザが操作して、紙画像に対しての校正、追記と同じように、画像処理装置上で編集可能とする装置を提供することを目的としている。
【課題を解決するための手段】
【０００６】
請求項１記載の発明は、媒体から画像を読み取る画像読み取り手段と、前記読み取り手段により読み取った画像を、文字部と背景部に分離する手段と、前記文字部と背景部を合成した画像を表示するタッチパネル表示手段と、前記表示手段に表示された表示画像の一部又は全部の色を選択する選択手段と、前記選択手段により選択された領域の色を変更する手段と、を有することを特徴とする画像処理装置である。
【０００７】
請求項２記載の発明は、請求項１記載の装置において、前記選択手段により選択された領域は、前記文字部、背景部に加えて新たに作成する第３の画像部に色情報として反映し、前記第３の画像部と前記文字部を比較することで、文字部分のみの色を変更する文字色変更手段を有することを特徴とする。
【０００８】
請求項３記載の発明は、請求項１又は２記載の装置において、前記文字色変更手段は、その適用範囲を前記選択領域の全てとすることを特徴とする。
【０００９】
請求項４記載の発明は、請求項１から３のいずれか１項に記載の装置において、前記文字色変更手段は、変更する色を複数から選択可能であることを特徴とする。
【発明の効果】
【００１０】
本発明によれば、紙媒体の画像を電子媒体に変換する過程で、パソコンを用いることなく、タッチパネルディスプレイ上で選択領域を指定し効率よく編集することができる。編集は選択領域を選択し変更したい色を選択するだけの簡単な処理で実施可能であり、色を変更したい領域を矩形型で囲むだけで、囲まれた範囲の文字の色を変更することができる。
【発明を実施するための最良の形態】
【００１１】
以下に、本発明の実施形態に係る画像処理装置を、図面を用いて詳細に説明する。
【００１２】
本発明の実施形態に係る画像処理装置は、原稿画像を読み取る画像読取手段を有して画像を電子化画像処理ユニット部と、電子化した画像を保存する記憶デバイス、電子化画像を表示しユーザの指あるいはペンによって読み取り画像を編集するタッチパネルディスプレイ部、汎用のＯＳ（Ｏｐｅｒａｔｉｎｇ Ｓｙｓｔｅｍ）によって動作し画像処理結果をファイル出力し、ＬＡＮ（Ｌｏｃａｌ  Ａｒｅａ  Ｎｅｔｗｏｒｋ）に接続し、複数のパソコンに配信できる機能を有する通信アプリケーションと通信ハードウェアとを有する情報処理ユニット部で構成される。編集を施される紙画像は画像読み取り部と電子化画像処理ユニット部でアナログ/デジタル変換された後、デジタル画像データとして記憶デバイスに保存される。保存されたデジタル画像データはタッチパネルディスプレイ部で画素単位で表示される。タッチパネルディスプレイ部は入力デバイスからの電気的信号を電子化画像処理ユニット部に送信し、外部入力を画像化し読み取り画像に合成して再びタッチパネルディスプレイ部に表示する。タッチパネルディスプレイ部は入力デバイスからの電気的信号を前述の汎用ＯＳ上で動作するアプリケーション制御信号として出力することもでき、制御信号を受け取った情報処理ユニット部は編集画像をファイルとして保存また、ネットワークを介して他のコンピュータへ配信をすることができる。
【００１３】
本発明の実施形態は、画像処理装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Ｍｕｌｔｉ Ｆｕｎｃｔｉｏｎ Ｐｅｒｉｐｈｅｒａｌ）と称されるデジタルカラー複合機に適用した例を示す。
【００１４】
図１は本発明の実施形態に係る画像処理装置であるデジタルカラー複合機を概略的に示す外観斜視図である。
デジタルカラー複合機１は、転写紙などの媒体に画像を形成する画像形成手段である印刷装置７の上部に、原稿から画像を読み取る画像読取手段である画像読取装置８を配設した構成とされている。また、画像読取装置８の装置外面には、オペレータに対する表示とオペレータからの機能設定等の各種の入力を許容する操作パネルＰが設けられている。さらに、操作パネルＰの下部には、記憶媒体Ｍに記憶されているプログラムコードや画像データ等を読み取る、または記憶媒体Ｍに対してプログラムコードや画像データ等を書き込む装置である外部メディア入出力装置９が、記憶媒体Ｍの挿入を許容する挿入口を外部に露出させて設けられている。
【００１５】
図２は本発明の実施形態に係るデジタルカラー複合機のブロック図である。画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。
【００１６】
画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
【００１７】
印刷制御ユニット１１は、画像処理制御ユニット１０の制御に従って印刷装置７に対して画像データを含む印刷指示を出力し、印刷装置７に転写紙などの媒体に画像を形成して出力させる。画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Ｃｈａｒｇｅ Ｃｏｕｐｌｅｄ Ｄｅｖｉｃｅ））に集光して読み取り、Ａ／Ｄ変換してＲＧＢ各８ｂｉｔのデジタル画像データを生成する。このような画像処理制御ユニット１０は、メインプロセッサであるＣＰＵ（Ｃｅｎｔｒａｌ Ｐｒｏｃｅｓｓｉｎｇ Ｕｎｉｔ）１３と、画像読取装置８から読み込んだ画像データを印刷装置７による作像に供すべく一旦格納しておくメモリデバイス（例えば、ＳＤＲＡＭ（Ｓｙｎｃｈｒｏｎｏｕｓ Ｄｙｎａｍｉｃ Ｒａｎｄｏｍ Ａｃｃｅｓｓ Ｍｅｍｏｒｙ）等）１４と、制御プログラム等を記憶したＲＯＭ（Ｒｅａｄ Ｏｎｌｙ Ｍｅｍｏｒｙ）１５と、システムログ／システム設定／ログ情報等を記録しておく電源ＯＦＦ時にもデータの保持が可能なＮＶＲＡＭ１６と、をバス接続したマイクロコンピュータ構成とされている。
【００１８】
画像処理制御ユニット１０には、多量の画像データの蓄積やジョブ履歴等の記憶装置となるＨＤＤ（Ｈａｒｄ Ｄｉｓｋ Ｄｒｉｖｅ）１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、デジタルカラー複合機１は、遠隔のファクシミリと交信することができる。加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。
【００１９】
操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。画像処理ユニット部Ａは、従来の画像処理装置が備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。
【００２０】
このような構成により、画像処理ユニット部Ａは、外部（サーバコンピュータ３、クライアントコンピュータ４、ファクシミリ等）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。また、画像処理ユニット部Ａは、ＳＤＲＡＭ１４やＨＤＤ１７に記憶されている印刷データ、原稿読取りデータ、これらを出力用に処理した出力画像データ、および、それらを圧縮した圧縮データを外部（サーバコンピュータ、クライアントコンピュータ、ファクシミリ等）に転送することができる。
【００２１】
次に、操作パネルＰを備える情報処理ユニット部Ｂについて説明する。情報処理ユニット部Ｂは、一般にパーソナルコンピュータといわれるような情報処理装置に用いられる汎用のＯＳ（Ｏｐｅｒａｔｉｎｇ Ｓｙｓｔｅｍ）によって制御されるマイクロコンピュータ構成とされている。情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳ（Ｏｐｅｒａｔｉｎｇ Ｓｙｓｔｅｍ）やアプリケーションプログラムを記憶するＨＤＤ等の記憶装置３４に対するデータの入出力を制御する記憶装置制御ユニット３５とが、バス接続されている。
【００２２】
ＣＰＵ３１には、情報処理ユニット部ＢをＨＵＢ１９を介してＬＡＮ２に接続するためのＬＡＮ制御部３３が接続されている。このＬＡＮ制御部３３に割り当てられるネットワークアドレスであるＩＰアドレスは、前述した画像処理ユニット部ＡのＬＡＮ制御部１８に割り当てられるＩＰアドレスとは異なるものである。すなわち、本実施形態のデジタルカラー複合機１には、２つのＩＰアドレスが割り当てられていることになる。つまり、画像処理ユニット部Ａと情報処理ユニット部ＢとはＬＡＮ２に接続されていることになり、画像処理ユニット部Ａと情報処理ユニット部Ｂとの間においてはデータ交換が可能な構成になっている。さらに、ＣＰＵ３１には、操作パネルＰを制御する表示制御ユニット３６及び操作入力制御ユニット３７が接続されている。
【００２３】
図３は操作パネルＰの構成を示す平面図である。図３に示すように、操作パネルＰは、例えばＬＣＤ（Ｌｉｑｕｉｄ Ｃｒｙｓｔａｌ Ｄｉｓｐｌａｙ）である表示装置５０と、操作入力装置５１とで構成されている。操作入力装置５１は、表示装置５０の表面に積層された超音波弾性波方式等のタッチパネル５１ａと、複数のキーを有するキーボード５１ｂとで構成されている。キーボード５１ｂには、画像読み取りの開始を宣言するためのスタートキー、数値入力を行うためのテンキー、読み取った画像データの送信先を設定する読取条件設定キー、クリアキー等が設けられている。すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるオペレータによる機能設定や入力操作に応じた入力制御信号を、制御パネルＩ／Ｆ３８を介して受信する。加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。なお、詳細は後述するが、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。上述したように記憶装置３４には、ＣＰＵ３１が実行するＯＳ（Ｏｐｅｒａｔｉｎｇ Ｓｙｓｔｅｍ）やアプリケーションプログラムが格納されている。この意味で、記憶装置３４は、アプリケーションプログラムを記憶する記憶媒体として機能する。
【００２４】
このデジタルカラー複合機１では、ユーザが電源を投入するとＣＰＵ３１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。情報処理ユニット部ＢのＯＳは、情報処理装置（サーバコンピュータ３やクライアントコンピュータ４等）と同様のＯＳ、すなわち汎用のＯＳ（例えば、Ｗｉｎｄｏｗｓ（登録商標）等）とされている。
【００２５】
図４は、本発明の実施形態に係る画像処理装置で処理された画像の模式図である。５５は画像処理前の画像である。５６は画像を編集する領域を選択した状態である。破線で囲まれた領域５６ａが色を変更しようとする領域である。本実施形態では図３に示したタッチパネルディスプレイ上でユーザが手またはペンで領域を選択することができる。選択領域は５６ａのように矩形でもよいし円形でもよい。５７は領域選択後に選択領域５７ａの色が変更された状態である。実施形態では変更色は元画像の上に重ねて作成され、元画像の文字が透けて見えるように半透明に着色されている。
【００２６】
図５は、本発明の実施形態に係る画像編集のフローチャートである。画像編集の開始は編集画像が画像読み取り処理ユニットでスキャンされたのち、ユーザの意思に基づいて開始される。ステップＳ５０１でダイアログ１が画面上に表示される。図６はダイアログ１の表示例である。ダイアログ１は図６で示されるメッセージ６０のようにスキャン画像を編集するか否かをユーザに選択させる表示である。
【００２７】
ステップＳ５０２で図６の選択ボタンが押されるまで（ステップＳ５０２／ＹＥＳ）待機した後、画像編集を行うように選択された場合は（ステップＳ５０３／ＹＥＳ）、ダイアログ２を表示する（ステップＳ５０４）。画像編集をしないと選択された場合は（ステップＳ５０３／ＮＯ）処理終了する。ステップＳ５０４のダイアログ２の表示例を図７に示す。領域選択を指示するメッセージ７０を表示し、開始ボタン７１が選択されると（ステップＳ５０５／ＹＥＳ）ダイアログ表示を終了し、ステップＳ５０６の領域選択に移行する。
【００２８】
ステップＳ５０６ではユーザがタッチパネルディスプレイを操作し、編集したい領域を矩形型に囲むことができる。ステップＳ５０７でユーザの領域選択終了まで待機する。選択領域選択中の表示例を図８に示す。選択領域は破線で囲まれて表示され、ユーザは編集したい領域の選択が終了すると、８０の選択終了ボタンを押すことで選択操作を終了する。次にステップＳ５０８でダイアログ３を表示する。ダイアログ３は選択領域の変更する色をユーザに選択させる表示で、表示例を図９に示す。実施形態では赤、青、緑の色が選択可能で、いずれも半透明な色に変更する。ステップＳ５０９〜５１１はステップＳ５０８でのユーザの色選択を待機し、変更する色の各処理に分岐させる処理である。ステップＳ５０９で赤が選択された場合ステップＳ５１２で選択領域を赤に、ステップＳ５１０で青が選択された場合ステップＳ５１３で選択領域を青に、ステップＳ５１１で緑が選択された場合ステップＳ５１４で選択領域を緑にして画面上に表示する。
【００２９】
ステップＳ５１５でダイアログ４が表示される。ダイアログ４の表示例を図１０に示す。図１０の表示１０１はユーザが選択した色の確認を行う画面でありユーザの色選択の操作ミスを回避することができる。ステップＳ５１６は選択画面１０１ではい１０２が選択された場合、選択した色の設定が画面上の表示に反映され、いいえ１０３が押された場合は（ステップＳ５１６／ＮＯ）、ステップＳ５１７で選択領域の色の変更を元に戻す。ステップＳ５１８でダイアログ５が表示される。ダイアログ５の表示例を図１１に示す。ダイアログ５は色変更されたことの確認のための表示である。メッセージ１１１は一定の期間表示された後に自動的に消失し、図１２の画面となる。図１２は最終的に編集された画像である。
【００３０】
次に、矩形型に囲んだ領域の文字部分の色を変更する編集について説明する。図１３は、本発明の実施形態に係る画像処理の段階毎の画像を模式的に示した図である。画像読み取り処理ユニットでスキャンされた画像１３０１はユーザのタッチパネルディスプレイ上での入力により色変更したい領域を矩形型に囲まれる（１３０２）。囲まれた領域１３０２ａは、後述する画像処理によって文字部分１３０３ａの色が変更された画像１３０３となる。
【００３１】
図１４を用いてユーザにより矩形に囲まれた領域の文字の色を変更する際の操作手順を説明する。ステップＳ１４０１は、画像読み取り処理ユニットでスキャンされた直後のデジタル画像である。デジタル画像はＳ１４０２で情報処理ユニットＢに内蔵されたソフトウェア処理によって絵や写真及び下地部分を基調とする背景画像１４０２ａと文字部分を基調とする前景画像１４０２ｂに分離される。背景と前景の分離判定は色の分布や階調により行うことができる。さらに、ユーザによる編集を反映する白を基調とする編集画像１４０２ｃを新たに作成する。ここで説明のため背景画像、前景画像、編集画像をそれぞれレイヤー１、レイヤー２、レイヤー３と称する。Ｓ１４０３はユーザの操作によって色変更する領域を選択された状態である。レイヤー３に選択領域の色を変更した部分を生成する。ここでは背景画像１４０３ａ及び前景画像１４０３ｂは加工されない。Ｓ１４０４でＳ１４０３のレイヤー２画像１４０３ｂのうち、選択領域１４０３ｃに囲まれた領域の座標位置に相当する文字部分の色が変更される。ここでも背景画像１４０４ａが加工されることはない。Ｓ１４０５でＳ１４０４のレイヤー１画像１４０４ａと色変更された１４０４ｂのレイヤー２画像が合成され、ひとつのファイルとして出力される。
【００３２】
図１５を用いて、色を変更する領域について説明する。１５０１、１５０２は前述のレイヤー３、レイヤー２の画像である。実施形態ではレイヤー３とレイヤー２を同解像度、同サイズと定義する。それぞれのレイヤーの座標位置を水平方向ｘ、垂直方向ｙの二次元の座標で示した場合に左端を座標（ｘ,ｙ）＝（０，０）とし、画像の右下に向けて座標を進行させる。従って矩形領域内のの最も小さい座標が１５０１ａ、その対極にある座標が１５０１ｂとなる。前述のようにレイヤー３とレイヤー２は同解像度、同サイズの画像であることから、レイヤー３の座標１５０１ａと座標１５０１ｂはレイヤー２の座標１５０２ａと座標１５０２ｂに相対的に一致する。このレイヤー２の座標１５０２ａと座標１５０２ｂで囲まれた領域に存在する文字の色を変更する。
【００３３】
矩形型で囲まれた領域の文字の色を変更する方法を図１６のビットマップ画像を用いて説明する。各ビットマップ１６０１ａ、１６０１ｂはそれぞれレイヤー２とレイヤー３の画像の一部でドット１６０３が１６×１６個で形成されている。各ビットマップの座標は左上（ｘ，ｙ）１６０１から右下（ｘ＋１６，ｙ＋１６）１６０２に向かって昇順である。それぞれのドットはＲ（赤）、Ｇ（グリーン）、Ｂ（ブルー）のカラー情報で形成され８ｂｉｔの深度がある。また実施例では発色は減色法であり、Ｒ、Ｇ、Ｂが最小の場合に黒色を呈し、最大の場合に白色する。レイヤー２の一部分である１６０１ａは白部分（Ｒ，Ｇ，Ｂ）＝（２５５，２５５，２５５）のドット１６０４と文字部分（Ｒ，Ｇ，Ｂ）＝（０，０，０）のドット１６０５の２種類の色が使用されている。レイヤー３の一部分である１６０１ｂは白部分（Ｒ，Ｇ，Ｂ）＝（２５５，２５５，２５５）のドット１６０６とユーザに選択された領域である（Ｒ，Ｇ，Ｂ）＝（８０，８０，８０）のドット１６０７で形成されている。
【００３４】
ここで、ユーザによる文字の変更色は青を指定されていることとする。本実施例の画像処理ではドットの色情報を座標（ｘ，ｙ）１６０１から右下（ｘ＋１６，ｙ＋１６）１６０２に向かってレイヤー２のビットマップ１６０１ａとレイヤー３のビットマップ１６０１ｂの色情報を比較することで色の変更を行う。ここで２５６個のドットの座標名をＤ０〜Ｄ２５５で表現することにする。まず１６０１ａのドットＤ０の色情報が（Ｒ，Ｇ，Ｂ）＝（２５５，２５５，２５５）でかつ１６０１ｂのドットＤ０の色情報が（Ｒ，Ｇ，Ｂ）＝（２５５，２５５，２５５であった場合、出力としてビットマップ１６０１ｃのＤ０に（Ｒ，Ｇ，Ｂ）＝（２５５，２５５，２５５）を出力する。次に１６０１ａのドットＤ３９の色情報が（Ｒ，Ｇ，Ｂ）＝（０，０，０）で１６０１ｂのドットＤ３９の色情報が（Ｒ，Ｇ，Ｂ）＝（２５５，２５５，２５５）であった場合出力としてビットマップ１６０１ｃのＤ３９に（Ｒ，Ｇ，Ｂ）＝（０，０，０）を出力する。さらにＤ５４の色情報が（Ｒ，Ｇ，Ｂ）＝（０，０，０）でかつ１６０１ｂのドットＤ３９の色情報が（Ｒ，Ｇ，Ｂ）＝（８０，８０，８０）であった場合、出力としてビットマップ１６０１ｃにＤ５４に（Ｒ，Ｇ，Ｂ）＝（２０，２０，２００）を出力する。つまり１６０１ｂのあるドットの色情報が（Ｒ，Ｇ，Ｂ）＝（２５５，２５５，２５５）の場合、出力にはビットマップ１６０１ａのドットの色情報をそのまま用い、１６０１ｂの任意のドットの色情報が（Ｒ，Ｇ，Ｂ）＝（８０，８０，８０）の場合でかつ１６０１ａのドットの色情報が（Ｒ，Ｇ，Ｂ）＝（０，０，０）の場合に、出力の色情報に指定の色情報を出力する。実施例の色情報（Ｒ，Ｇ，Ｂ）＝（２０，２０，２００）は青成分が強いため色として青に見えることになる。このドットの比較処理をすべてのドットに行った結果１６０１ｃのような出力ビットマップが得られ、ユーザの選択領域の文字色が変更される。全てのドットの比較が終了後、１６０１ｃのビットマップをレイヤー２として保存する。
【００３５】
図１７にユーザの選択領域の文字色を変更するフローチャートを示す。ステップＳ１７０１でスキャン画像部を背景部分と前景部分に分離してそれぞれレイヤー１、レイヤー２として保存する。ステップＳ１７０２でユーザからの入力情報を反映させるレイヤー３を作成する。ステップＳ１７０３でユーザからの選択領域の入力まで待機する。選択領域の入力確認後、ステップＳ１７０４で選択領域の座標を確定する。ステップＳ１７０５で選択領域の座標内のビットマップの色情報を任意に定めた値に変更する。ステップＳ１７０６で選択領域の文字の変更色のユーザからの入力を待つ。変更色の入力確認後Ｓ１７０７でレイヤー３で色変更された座標点と同じ座標点のレイヤー２が文字の色情報をもつ場合の場合色を指定色に変更し、レイヤー２として保存する。ステップＳ１７０８で更新されたレイヤー２とレイヤー１を合成し、ステップＳ１７０９ファイル出力する。
【００３６】
以上の処理で選択領域の色または選択領域の文字の色を変更された画像は記憶装置で一時的に保管される。保管された画像はネットワークを介して電子ファイルとして送信、又は、デジタルカラー複合機に内蔵された可換記憶媒体に読み出すことも可能である。
【図面の簡単な説明】
【００３７】
【図１】本発明の一実施形態に係るデジタルカラー複合機を概略的に示す外観斜視図である。
【図２】本発明の一実施形態に係るデジタルカラー複合機のブロック図である。
【図３】本発明の一実施形態に係る操作パネルＰの構成を示す平面図である。
【図４】本発明の一実施形態に係る処理画像の模式図である。
【図５】本発明の一実施形態に係る選択領域の色を変更する画像処理のフローチャートである。
【図６】本発明の一実施形態に係る画像処理のディスプレイの表示例である。
【図７】本発明の一実施形態に係る画像処理のディスプレイの表示例である。
【図８】本発明の一実施形態に係る画像処理のディスプレイの表示例である。
【図９】本発明の一実施形態に係る画像処理のディスプレイの表示例である。
【図１０】本発明の一実施形態に係る画像処理のディスプレイの表示例である。
【図１１】本発明の一実施形態に係る画像処理のディスプレイの表示例である。
【図１２】本発明の一実施形態に係る画像処理のディスプレイの表示例である。
【図１３】本発明の一実施形態に係る選択領域の文字の色を変更する画像処理の処理画像の模式図である。
【図１４】本発明の一実施形態に係る画像処理に用いるレイヤーとレイヤーの段階的な状態を示した画像の模式図である。
【図１５】本発明の一実施形態に係る選択領域の文字の色を変更する画像処理の選択領域の説明図である。
【図１６】本発明の一実施形態に係る選択領域の文字の色を変更するアルゴリズムの説明図である。
【図１７】本発明の一実施形態に係る選択領域の文字の色を変更する処理のフローチャートである。
【符号の説明】
【００３８】
１    デジタルカラー複合機
２    ＬＡＮ
１０    画像処理制御ユニット
１１    印刷制御ユニット
１２    画像読取制御ユニット
２２    構内交換器（ＰＢＸ）
２３、３６    表示制御ユニット
２４    操作入力制御ユニット
２５、３８    制御パネルＩ／Ｆ
２６    通信ケーブル
３１    ＣＰＵ
３２    メモリユニット
３３    ＬＡＮ制御部
３４    記憶装置
３５    記憶装置制御ユニット
３７    操作入力制御ユニット
３９    制御パネル通信ユニット
４０    表示装置
４１、５１    操作入力装置
４３    各種インターフェイス
５０    表示装置
５１ａ    タッチパネル
５１ｂ    キーボード
Ａ    画像処理ユニット部
Ｍ    記憶媒体
Ｂ    情報処理ユニット部
Ｐ    操作パネル
【図１】
2007006084.tif 000003
【図２】
2007006084.tif 000004
【図３】
2007006084.tif 000005
【図４】
2007006084.tif 000006
【図５】
2007006084.tif 000007
【図６】
2007006084.tif 000008
【図７】
2007006084.tif 000009
【図８】
2007006084.tif 000010
【図９】
2007006084.tif 000011
【図１０】
2007006084.tif 000012
【図１１】
2007006084.tif 000013
【図１２】
2007006084.tif 000014
【図１３】
2007006084.tif 000015
【図１４】
2007006084.tif 000016
【図１５】
2007006084.tif 000017
【図１６】
2007006084.tif 000018
【図１７】
2007006084.tif 000019